(57)【特許請求の範囲】
【請求項１】
鉄道の線路上に載置可能な鉄車輪を有する軌陸車に搭載されて油圧により駆動される軌陸車両搭載用クレーンであって、
アウトリガを有するベースと、該ベース上の旋回機台に設置されたコラムポストと、該コラムポストの先端部に水平方向に限って伸縮自在に設置された伸縮ブームと、該伸縮ブームに沿って移動可能に設けられてフックを垂下してなるトロリー装置とを備え、
前記伸縮ブームは、複数のブームから構成されて基端側ブームが最も細く先端ブームになるにつれて順に太いブームになるとともに、縮小時に先端ブームが最も外枠とされる入れ子式であり、
前記トロリー装置は、前記先端ブームの下部にブーム長手方向に沿って移動可能とされ、
前記コラムポストは、前記旋回機台上で上下方向に伸縮自在に設置されるとともに、当該コラムポストの最大伸長時の前記伸縮ブームの上面高さが、前記軌陸車を前記鉄道の線路上に載置した状態において、架線の制限高さまでしか上げられないように設定されることで、ブーム起伏機構、ブーム旋回機構およびブーム伸縮機構のうちブーム起伏機構が不装備とされていることを特徴とする軌陸車両搭載用クレーン。
【請求項２】
前記コラムポストは、筒状の２つの筐体が上下方向で入れ子とされ、それら２つの筐体のうち、下筐体は、前記ベース上の旋回機台に下端が固定され、上筐体は、前記下筐体の外側を覆うように前記下筐体の上端側から前記下筐体の長手方向に沿ってスライド移動可能に嵌合されるとともに自身上部にウインチ装置が設けられており、これら２つの筐体相互がコラムポストの背面に設けた伸縮シリンダで上下方向に沿ってスライド移動可能に接続されていることを特徴とする請求項１に記載の軌陸車両搭載用クレーン。
【請求項３】
前記軌陸車が鉄道のカーブ区間で作業を行う際に、前記鉄車輪を線路上に設置させたままクレーン本体を水平にすることができるカント補正装置を更に備え、
前記カント補正装置は、前記軌陸車の運転室と荷台との間のシャーシフレーム上に固定される支持ブラケットと、該支持ブラケットに、前後方向の支軸で左右傾動可能に軸支されるクレーン搭載台と、該クレーン搭載台上に搭載固定されて前記アウトリガを有する前記ベースと、前記クレーン搭載台と前記支持ブラケットとの間に前記軌陸車に対する前記クレーン搭載台の傾斜角度を調整するための傾動手段として取り付けられた一つの傾動シリンダとを有することを特徴とする請求項１または２に記載の軌陸車両搭載用クレーン。
【請求項４】
前記コラムポストの伸縮動作又は前記伸縮ブームの伸縮動作のためのアクチュエータに必要な圧油を給排するコントロールバルブを操作するための操作レバーがクレーンの両側に設けられており、
前記両側の操作レバーともに、前記ベースの側面に設けられるとともに、前記操作レバーと前記コントロールバルブを接続する連結ロッドを介して、前記操作レバーの操作が前記コントロールバルブに伝えられるように構成されていることを特徴とする請求項１〜３のいずれか一項に記載の軌陸車両搭載用クレーン。
【請求項５】
前記伸縮ブームおよび前記トロリー装置を駆動する油圧回路は、前記伸縮ブームを伸縮させるテレシリンダと、前記トロリー装置をブーム長手方向に沿って移動させるトロリーモータとが二つの電磁切換弁に対して並列に設けられており、
各電磁切換弁は、前記伸縮ブームの先端部と基端部にそれぞれ設けられた切換器具で油路の切換が行なわれ、
ブーム先端部の切換器具は前記トロリー装置との当接によって対応する電磁切換弁の油路が切換えられ、ブーム基端部の切換器具は前記伸縮ブームが縮小したときの当該伸縮ブームとの当接によって対応する電磁切換弁の油路が切換えられるようになっており、
ブーム先端の切換器具が未作動のときには、前記二つの電磁切換弁が前記トロリーモータのみを駆動するよう油路をなし、ブーム基端の切換器具が未作動のときには、前記二つの電磁切換弁が前記テレシリンダのみを駆動するよう油路をなすことを特徴とする請求項１〜４のいずれか一項に記載の軌陸車両搭載用クレーン。
【発明の詳細な説明】
【技術分野】
【０００１】
本発明は、軌陸車に搭載される軌陸車両搭載用クレーンに関する。
【背景技術】
【０００２】
軌陸車とは、路上走行可能な車両に対し、車体の下に鉄車輪と転車台を追加することで鉄道の線路上を走行可能とした特殊車両である。ところで、線路上でのクレーン作業は、線路上から架線までの高さが４．５ｍなので、作業時の制限高さは４．０ｍに規制されている。そのため、軌陸車両搭載用クレーンでのクレーン作業も、この制限高さ（４．０ｍ）を遵守する必要がある。よって、この制限高さ以上のクレーン揚程は不要である。
【０００３】
ところで、一般的なクレーンは、旋回機台上に設置されたコラムポストと、このコラムポストの先端部に起伏および伸縮自在に設置された伸縮ブームとを備え、伸縮ブームの先端に設けたフックにより吊り荷を可及的に高く持ち上げることが性能のひとつであって特長とされる（例えば特許文献１ないし２参照）。しかし、その特長や性能は、上記の架線内で必要とされるクレーン揚程内での作業とは相反する上、伸縮ブームが制限高さを越えて架線に接触すれば感電事故が発生することになる。
そこで、従来は、一般的な車両搭載型クレーンに、電気的な制御による高さ制限装置を装着することによって、伸縮ブームの高さが制限高さを超えないように、ブーム先端の高さ（ブームの起伏角度）を制限高さ以内に制御していた（例えば特許文献３参照）。
【先行技術文献】
【特許文献】
【０００４】
【特許文献１】特開平４−７２９４号公報
【特許文献２】特開平１１−１７１４７４号公報
【特許文献３】特開２０００−３３５８８９号公報
【発明の概要】
【発明が解決しようとする課題】
【０００５】
しかしながら、特許文献３記載の高さ制限装置は、伸縮ブームの高さを電気的に制御するものなので、実際の線路上での作業において、現場の作業者が、作業効率が落ちることを嫌って高さ制限装置を解除して使用することもできる。この場合、伸縮ブームが誤って制限高さを超え、架線と伸縮ブームが接触すれば停電（感電事故）を起こしてしまう。また、万一架線を切断してしまえば、翌日の列車のダイヤに重大な遅れを発生させてしまうことにもなりかねない。このように、従来のクレーンでの高さ制限装置は、電気的な制御によるものなので、現場の作業者の判断で制限を解除してしまうおそれがある。また、高さ制限を設定し忘れたまま作業を開始してしまうおそれもある。
そこで、本発明は、上述のような問題点に鑑みてなされたものであって、クレーンの基本構造自体による高さ制限機構により、伸縮ブームの高さが制限高さを超えないように規制し得る軌陸車両搭載用クレーンを提供することを課題とする。
【課題を解決するための手段】
【０００６】
上記課題を解決するために、本発明の一態様に係る軌陸車両搭載用クレーンは、鉄道の線路上に載置可能な鉄車輪を有する軌陸車に搭載されて油圧により駆動される軌陸車両搭載用クレーンであって、アウトリガを有するベースと、該ベース上の旋回機台に設置されたコラムポストと、該コラムポストの先端部に水平方向に限って伸縮自在に設置された伸縮ブームと、該伸縮ブームに沿って移動可能に設けられてフックを垂下してなるトロリー装置とを備え、前記伸縮ブームは、複数のブームから構成されて基端側ブームが最も細く先端ブームになるにつれて順に太いブームになるとともに、縮小時に先端ブームが最も外枠とされる入れ子式であり、前記トロリー装置は、前記先端ブームの下部にブーム長手方向に沿って移動可能とされ、前記コラムポストは、前記旋回機台上で上下方向に伸縮自在に設置されるとともに、当該コラムポストの最大伸長時の前記伸縮ブームの上面高さが、前記軌陸車を前記鉄道の線路上に載置した状態において、架線の制限高さまでしか上げられないように設定されることで、ブーム起伏機構、ブーム旋回機構およびブーム伸縮機構のうちブーム起伏機構が不装備とされていることを特徴とする。
【０００７】
本発明の一態様に係る軌陸車両搭載用クレーンによれば、伸縮ブームは、コラムポストの先端部に水平方向に限って伸縮自在に設置されるとともに、コラムポストは、旋回機台上で上下方向に伸縮自在に設置され、当該コラムポストの最大伸長時の前記伸縮ブームの上面高さが、前記軌陸車を前記鉄道の線路上に載置した状態において、架線の制限高さまでしか上げられないように設定されることで、ブーム起伏機構、ブーム旋回機構およびブーム伸縮機構のうちブーム起伏機構が不装備とされているので、伸縮ブームの起伏機能自体を装備しないという車両搭載用クレーン特有の基本構造自体の見直しによって、伸縮ブームの高さが制限高さを超えないように規制することができる。
【０００８】
ここで、本発明の一態様に係る軌陸車両搭載用クレーンにおいて、前記コラムポストは、筒状の２つの筐体が上下方向で入れ子とされ、それら２つの筐体のうち、下筐体は、前記ベース上の旋回機台に下端が固定され、上筐体は、前記下筐体の外側を覆うように前記下筐体の上端側から前記下筐体の長手方向に沿ってスライド移動可能に嵌合されるとともに自身上部にウインチ装置が設けられており、これら２つの筐体相互がコラムポストの背面に設けた伸縮シリンダで上下方向に沿ってスライド移動可能に接続されていることは好ましい。このような構成であれば、コラムポストを、旋回機台上で上下方向に伸縮自在に設置する上で好適である。
【０００９】
また、本発明の一態様に係る軌陸車両搭載用クレーンにおいて、前記軌陸車が鉄道のカーブ区間で作業を行う際に、前記鉄車輪を線路上に設置させたままクレーン本体を水平にすることができるカント補正装置を更に備え、前記カント補正装置は、前記軌陸車の運転室と荷台との間のシャーシフレーム上に固定される支持ブラケットと、該支持ブラケットに、前後方向の支軸で左右傾動可能に軸支されるクレーン搭載台と、該クレーン搭載台上に搭載固定されて前記アウトリガを有する前記ベースと、前記クレーン搭載台と前記支持ブラケットとの間に前記軌陸車に対する前記クレーン搭載台の傾斜角度を調整するための傾動手段として取り付けられた一つの傾動シリンダとを有することは好ましい。このような構成であれば、線路のカーブには内側に向けて傾斜（カント）がつけられているが、軌陸車がカーブ区間で作業を行う際に、鉄車輪を線路に設置させたまま、傾斜角度（カント角）を補正して、クレーン本体を水平にすることができる。
【００１０】
また、本発明の一態様に係る軌陸車両搭載用クレーンにおいて、前記コラムポストの伸縮動作又は前記伸縮ブームの伸縮動作のためのアクチュエータに必要な圧油を給排するコントロールバルブを操作するための操作レバーがクレーンの両側に設けられており、前記両側の操作レバーともに、前記ベースの側面に設けられるとともに、前記操作レバーと前記コントロールバルブを接続する連結ロッドを介して、前記操作レバーの操作が前記コントロールバルブに伝えられるように構成されていることは好ましい。このような構成であれば、線路脇の低い位置から作業者がクレーン操作をする上で好適である。
【００１１】
また、本発明の一態様に係る軌陸車両搭載用クレーンにおいて、前記伸縮ブームおよび前記トロリー装置を駆動する油圧回路は、前記伸縮ブームを伸縮させるテレシリンダと、前記トロリー装置をブーム長手方向に沿って移動させるトロリーモータとが二つの電磁切換弁に対して並列に設けられており、各電磁切換弁は、前記伸縮ブームの先端部と基端部にそれぞれ設けられた切換器具で油路の切換が行なわれ、ブーム先端部の切換器具は前記トロリー装置との当接によって対応する電磁切換弁の油路が切換えられ、ブーム基端部の切換器具は前記伸縮ブームが縮小したときの当該伸縮ブームとの当接によって対応する電磁切換弁の油路が切換えられるようになっており、ブーム先端の切換器具が未作動のときには、前記二つの電磁切換弁が前記トロリーモータのみを駆動するよう油路をなし、ブーム基端の切換器具が未作動のときには、前記二つの電磁切換弁が前記テレシリンダのみを駆動するよう油路をなすことは好ましい。このような構成であれば、ひとつの操作によってトロリー装置のブーム長手方向への全長に亘る移動が可能なので、例えば操作レバー１本のみの操作により、クレーン中心軸そばの、いわゆるふところ位置から伸長時のブーム先端までに渡って、吊荷を運搬させることができる。
【発明の効果】
【００１２】
上述したように、本発明によれば、クレーンの基本構造自体による高さ制限機構により、伸縮ブームの高さが制限高さを超えないように、ブーム先端の高さを規制することができる。
【図面の簡単な説明】
【００１３】
【図１】本発明の一態様に係る軌陸車両搭載用クレーンの一実施形態の左側面図である。
【図２】図１の正面図であり、同図では、カント補正装置によるカント角の補正状態を合わせて図示している。
【図３】本発明の一態様に係る軌陸車両搭載用クレーンの油圧回路の一実施形態を説明するブロック図である。
【図４】本発明の一態様に係る軌陸車両搭載用クレーンを軌陸車に搭載した状態の一実施形態の左側面図（路上走行状態を示す図）である。
【図５】図４の軌陸車を鉄道の線路上に載置した状態を示す図である。
【図６】図５の軌陸車において、トロリー装置を伸縮ブームの基端側からブーム長手方向に沿って先端側まで移動した状態を示す図である。
【図７】図６に示す状態から、更に伸縮ブームを伸長した状態を示す図である。
【図８】図１の背面図である。
【発明を実施するための形態】
【００１４】
以下、本発明の一実施形態について、図面を適宜参照しつつ説明する。
図１および図２に示すように、この軌陸車両搭載用クレーン１は、アウトリガ２を備えたベース３がクレーン搭載台６上に搭載固定されている。ベース３上には旋回機台１９が設けられ、旋回機台１９上には伸縮可能なコラムポスト４が旋回自在に立設されている。コラムポスト４の上端部には伸縮ブーム５が水平姿勢に固定されている。伸縮ブーム５には、フック２１を垂下してなるトロリー装置２０が伸縮ブーム５に沿って移動可能に設けられている。なお、図２に示すように、アウトリガ２の接地位置ＧＫは、鉄道の線路Ｒよりも線路脇の低い位置にあり、クレーン１自体は軌陸装置によって下方に張り出された鉄車輪１４により路上走行状態よりも地面から高い位置まで上昇する（図５参照）。そのため、アウトリガ２には、例えばローダー作業兼用クレーンで使用される、通常よりもストローク量の長いアウトリガが採用されている。
【００１５】
また、作業者も線路脇の低い位置からクレーン１を操作することとなるため、この軌陸車両搭載用クレーン１では、クレーン１の操作レバーの位置を、通常よりも低位置に装備することによって容易に手が届くようにされている。つまり、一般的なクレーンは、操作レバーがアウトリガを有するベース上に配置されているところ、ベース上に操作レバーが配置されていると、線路脇からの操作では、上方に手を伸ばさなければ操作レバーに手が届かない可能性がある。そこで、この軌陸車両搭載用クレーン１では、図８に示すように、複数の操作レバー３１をベース３の側面（この例ではコラムポスト４の背面（伸縮ブーム５側とは反対側の面））に設けており、その操作レバー３１とアクチュエータに必要な圧油を給排するコントロールバルブ３３とを連結ロッド３２によって接続している。これにより、ベース３上に操作レバーを配置した場合に比べて、操作レバー３１が低い位置に設けられているので、線路脇からの操作性が向上している。
【００１６】
また、この軌陸車両搭載用クレーン１は、図２に示すように、軌陸車１０がカーブ区間で作業を行う際に、鉄車輪１４を線路Ｒに設置させたまま、傾斜角度（カント角）αを補正して、クレーン本体を水平にすることができる、カント補正装置を備えている。
すなわち、クレーン搭載台６は、同図に示すように、前後方向を向く支軸であるクレーン回動軸８で左右傾動可能に支持ブラケット７に軸支されている。また、クレーン搭載台６と支持ブラケット７との間には、クレーン搭載台６の軌陸車１０（図４参照）に対する傾斜角度（カント角）α（図２参照）を調整するための傾動手段として、一つの傾動シリンダ（カント補正シリンダ）９が取付けられている。そして、クレーン搭載台６を支持する支持ブラケット７は、図４に示すように、軌陸車１０の運転室１１と荷台１２との間のシャーシフレーム１３上に固定される。鉄道車両が遠心力に対抗するために、線路のカーブには内側に向けて傾斜（カント）がつけられているが、傾動シリンダ９を伸縮することで、図２に示すように、クレーン１が地面と水平になるようにクレーン搭載台６の姿勢を調整可能になっている。これにより、この軌陸車両搭載用クレーン１は、軌陸車１０がカーブ区間で作業を行う際に、鉄車輪１４を線路Ｒに設置させたまま、傾斜角度（カント角）αを補正して、クレーン本体を水平にすることができる。
【００１７】
また、この軌陸車両搭載用クレーン１は、コラムポスト４の伸縮によって伸縮ブーム５の高さを調整するように構成されている。
詳しくは、図１および図５にも示すように、コラムポスト４は、筒状の複数の筐体が上下方向に入れ子とされている。この例では上下２つの筐体４１，４２から構成され、下筐体４２の下端がベース３上の旋回機台１９に固定され、下筐体４２の外側を覆うように上筐体４１が下筐体４２の上端側から下筐体４２の軸方向に沿ってスライド移動可能に嵌合されている。２つの筐体４１，４２相互は、コラムポスト４の伸長時の中折れを防止するために、上下の筐体４１，４２の重複部分を可及的に多く確保する必要がある。そのため、下筐体４２は、コラムポスト４の縮小時に、上筐体４１の天板の極近傍まで貫通する嵌合構造とされている。上下２つの筐体４１，４２相互は、コラムポスト４の背面（伸縮ブーム５側とは反対側の面）に設けた伸縮シリンダ（コラムシリンダ）４３で接続されており、伸縮シリンダ４３の伸縮に応じて、上筐体４１が下筐体４２に沿って上下にスライド移動するようになっている。そして、図５に示すように、コラムポスト４の最大伸長時の伸縮ブーム５の上面高さＨは、軌陸車を鉄道の線路Ｒ上に載置した状態において、架線Ｌの制限高さ（例えば４ｍ）まで上げることが可能なように設定されている。
【００１８】
ここで、この軌陸車両搭載用クレーン１は、伸縮ブーム５が起伏しない構成であり、図１および図７に示すように、テレシリンダ５４による水平方向の伸縮作動のみ可能とされている。なお、伸縮ブーム５の側面には、油圧ホース群および伸縮ブーム５の伸縮作動とトロリー装置２０の移動作動とを切り替える電磁切換弁（後述する）が搭載されている。
【００１９】
より詳しくは、伸縮ブーム５は、複数のブーム（この例では３段）から構成されている。本実施形態では、コラムポスト４の上部に水平に取り付けられた基端側の基端ブーム５１と、基端ブーム５１を入れ込むように設置され、基端ブーム５１に対してその軸方向に沿ってスライド移動可能に設けられた中間ブーム５２と、中間ブーム５２を入れ込むように設置され、中間ブーム５２に対してその軸方向に沿ってスライド移動可能に設けられた先端側の先端ブーム５３とを備えている。これらブーム５１，５２，５３は、先端になるにつれ太いブームになる三段式の入れ子状に形成される。つまり、ブーム相互は、基端ブーム５１が細く、中間ブーム５２は基端ブーム５１よりも太く、先端ブーム５３は中間ブーム５２よりも太くなっている。ブーム５１，５２，５３相互は、テレシリンダ５４による水平方向の伸縮作動のみ可能とされ、縮小時に先端ブーム５３が最も外枠とされている。
【００２０】
トロリー装置２０は、図１に示すように、先端ブーム５３の下面に沿って走行レール２４が直接取付けられ、ブーム先端の内部に駆動用の油圧モータ（不図示）が設置されている。そして、その油圧モータの駆動軸に連結された駆動スプロケット２５が先端ブーム側面の先端側に設けられるとともに、基端側に設けられた従動スプロケット２６と駆動スプロケット２５に駆動チェーン２７が架け渡されている。そして、駆動チェーン２７の途中部分にトロリー装置２０の本体が連結されており、油圧モータが駆動されると駆動チェーン２７によってトロリー装置２０が牽引され、先端ブーム５３の下面の走行レール２４に沿ってブーム長手方向にトロリー装置２０が走行する。これにより、荷台前方にまで、荷物をフック２１に吊下させて移動させることが可能とされている。
【００２１】
なお、このトロリー装置２０は、自身にはワイヤロープをフックに掛け回すためのシーブ（不図示）のみが内蔵され、ウインチ装置を搭載していない。ウインチ装置２２は、伸縮するコラムポスト４の可動側となる上筐体４１の上部に設けられている。よって、ウインチ装置を自身に搭載するもの（例えば特開平５−９７３９１号公報に記載のトロリー付伸縮ブーム）と比べ、装置自体の質量がウインチ装置分だけ軽量とされている。そのため、この軌陸車両搭載用クレーン１は、作業時は、ウインチ装置２２の質量が吊荷とともに加算されないので、転倒モーメントがその質量分有利となり、吊荷量を増大させることができる。特に質量当たりのモーメントは作業半径の増加に比例して増大するため、遠方作業ほど、その効果の高さが顕著に表れる。
【００２２】
ここで、伸縮ブーム５の伸縮作動とトロリー装置２０の移動作動とは、一つのブーム伸縮レバー（上記複数の操作レバー３１のうちのひとつ）の操作によってトロリー装置２０のブーム長手方向への全長に亘る移動が可能とされている。これにより、ブーム伸縮レバー１本のみの操作により、クレーン１のふところ位置から伸長時のブーム先端までに渡って、吊荷を運搬させることができる。
【００２３】
詳しくは、図３に油圧回路のブロック図を示すように、トロリー装置２０の移動作動用のトロリーモータ６４と伸縮ブーム５の伸縮作動用のテレシリンダ５４とは、１つのコントロールバルブ６０を使用し、２つの電磁切換弁６１、６２を介して油路を並列に接続している。なお、ＰＴＯから動力を得た油圧ポンプ７０が上下のコントロールバルブ６０、７２へ圧油を供給し、上下のコントロールバルブ６０、７２から各アクチュエータに駆動に必要な圧油が分配される。この例では、コントロールバルブ（下）７２からはカントを補正する傾動シリンダ９、および鉄車輪１４の出し入れ等を行なう軌道走行装置に圧油が供給される。また、コントロールバルブ（上）６０からは、クレーン１本体の各アクチュエータ（５４、６４、６６〜６９）に必要な圧油が供給されるようになっている。
【００２４】
トロリー装置２０と伸縮ブーム５のための２つのアクチュエータ５４，６４への圧油の切換は、同図に示すように、２つの電磁切換弁６１、６２を用いている。２つの電磁切換弁６１、６２の油路の切換は、切換器具であるリミットスイッチ８１，８２からの入力信号に基づいて行う（図１参照）。
【００２５】
つまり、電磁切換弁６１を通電させるリミットスイッチ８１は、トロリー装置２０が伸縮ブーム５のブーム先端に移動した位置であるストップ位置に、トロリー装置２０と直接当接するように設けられる。また、電磁切換弁６２を通電するリミットスイッチ８２は、伸縮ブーム５のブーム基端部のブーム縮小格納位置に、伸縮ブーム５が縮小したときの当該伸縮ブーム５（中間ブーム５２の基端部）と直接当接するように設けられている。ここでは便宜上、リミットスイッチ８１が動作すると電磁切換弁６１は通電されるノーマルオープン、リミットスイッチ８２が動作すると電磁切換弁６２の通電が遮断されるノーマルクローズになっている。よって、たとえばクレーン作業開始前状態のような、伸縮ブーム５が完全に縮小格納し、かつトロリー装置２０がブーム先端まで移動していない状態では、ブーム先端のリミットスイッチ８１は未動作なので電磁切換弁６１は通電を遮断しており、ブーム基端部のリミットスイッチ８２は作動中なので電磁切換弁６２も通電を遮断している状態である。電磁切換弁６１が通電状態とされると、テレシリンダ５４と油路を形成し、非通電状態では、トロリーモータ６４と油路を形成する。電磁切換弁６２も通電状態とされると、テレシリンダ５４と油路を形成し、非通電状態でトロリーモータ６４と油路を形成する。トロリー装置２０が作動中は、両電磁切換弁６１、６２とも非通電状態であり、逆にブーム伸長時は両電磁切換弁６１、６２とも通電される。
【００２６】
ブーム伸縮用の操作レバー３１を伸長側に操作すると、コントロールバルブ６０から吐出した圧油は電磁切換弁６１に流入する。電磁切換弁６１が非通電中（即ちトロリー装置２０がブーム先端まで移動していないとき）は常にトロリー装置２０のみ駆動するようになっている。一方、トロリー装置２０の作動中における電磁切換弁６２も、伸縮ブーム５が縮小格納状態で、リミットスイッチ８２を叩いたままなので、通電しておらず、圧油はコントロールバルブ６０を介してタンクに戻る油路を形成する。
ブーム先端まで移動したトロリー装置２０は、ブーム先端のリミットスイッチ８１をたたき、電磁切換弁６１が通電を開始する。これにより、圧油はテレシリンダ５４側に流れる。テレシリンダ５４の伸長により伸縮ブーム５が伸長を始めると、リミットスイッチ８２から中間ブーム５２の基端部も外れるので、電磁切換弁６２も通電する。
【００２７】
次に伸縮ブーム５が伸長した状態であって、ブーム伸縮用の操作レバー３１を縮小側に操作すると、テレシリンダ５４は縮小を開始する。電磁切換弁６２は通電状態のままなので、このときのコントロールバルブ６０から吐出した圧油はテレシリンダ５４側にのみ流入する。伸縮ブーム５が完全に縮小すると同時に、伸縮ブーム５の基端位置に設けたリミットスイッチ８２を中間ブーム５２の基端部が叩く。これにより、電磁切換弁６２の通電が遮断されると、トロリーモータ６４側に油路が切り換えられ、トロリー装置２０がブーム基端側に走行するようになっている。
【００２８】
次に、この軌陸車両搭載用クレーン１の動作、および作用・効果について説明する。
この軌陸車両搭載用クレーン１は、車両の走行時には、図４に示すように、アウトリガ２をクレーン底面よりも上方に格納し、鉄車輪１４も収容状態とされている。一方、作業時には、図５に示すように、鉄車輪１４を鉄道の線路Ｒ上に載置するとともに、アウトリガ２を下方に張り出し、コラムポスト４を伸縮、トロリー装置２０を先端ブーム５３に沿って移動、伸縮ブーム５を伸縮させて使用する。
【００２９】
トロリー装置２０は、ブーム伸縮用の操作レバー３１を操作することで、上述の油圧回路により、図６に示すように、ふところ作業性確保のために先端ブーム５３の下部に、伸縮ブーム５の長手方向に沿って可動する。伸縮ブーム５の作動は、伸長時は、まずトロリー装置２０が伸縮ブーム５の基端位置から先端へ向かって走行し（図６参照）、トロリー装置２０が完全に先端へ移動し切ると、次いで、図７に示すように、各ブーム５１，５２，５３が基端ブーム５１から先端ブーム５３の順で伸長作動を開始する。反対に縮小時は、伸縮ブーム５が縮小し切るとトロリー装置２０が伸縮ブームの基端位置への走行を開始する。
この軌陸車両搭載用クレーン１によれば、伸縮ブーム５が複数のブーム５１，５２，５３から構成されて基端側ブーム５１が細く先端ブーム５３になるにつれて太いブームになる逆順組立とするとともに、伸縮ブーム５の下面にトロリー装置２０を設けたので、良好な荷台内作業性を確保することができる。
【００３０】
特に、この軌陸車両搭載用クレーン１によれば、一般的な車両搭載用クレーンがコラムポスト上部のブーム取付ピンを回転中心として伸縮ブームを起伏シリンダ（デリックシリンダ）で起伏させるのに対し、この伸縮ブーム５は、起伏シリンダを廃して、コラムポスト４の先端部に水平方向に限って伸縮自在に設置されるとともに、コラムポスト４は、旋回機台１９上で上下方向に伸縮自在に設置されることで、ブーム起伏機構、ブーム旋回機構およびブーム伸縮機構のうちブーム起伏機構が不装備とされているので、伸縮ブーム５の起伏機能自体を装備しないという車両搭載用クレーン特有の基本構造自体の見直しによって、図５に示すように、伸縮式のコラムポスト４の伸縮により、伸縮ブーム５の姿勢を水平に維持しつつ、伸縮ブーム５の高さのみを変化させることができる。そのため、物理的に架線の制限高さＨ（例えば４ｍ）を超えることがないので、確実に制限高さ内でのクレーン作業が可能となる。
なお、本発明に係る軌陸車両搭載用クレーンは、上記実施形態に限定されるものではなく、本発明の趣旨を逸脱しなければ種々の変形が可能なことは勿論である。
【符号の説明】
【００３１】
１    軌陸車両搭載用クレーン（クレーン本体）
２    アウトリガ
３    ベース
４    コラムポスト
５    伸縮ブーム
６    クレーン搭載台（カント補正装置）
７    支持ブラケット（カント補正装置）
８    クレーン回動軸（カント補正装置）
９    傾動シリンダ（カント補正装置）
１０    軌陸車
１３  シャーシフレーム
１４  鉄車輪
１９  旋回機台
２０  トロリー装置
２１  フック
４１  上筐体
４２  下筐体
４３  伸縮シリンダ（コラムシリンダ）
５１  基端ブーム
５２  中間ブーム
５３  先端ブーム
５４  テレシリンダ
【図１】
0005937405.tif 000002
【図２】
0005937405.tif 000003
【図３】
0005937405.tif 000004
【図４】
0005937405.tif 000005
【図５】
0005937405.tif 000006
【図６】
0005937405.tif 000007
【図７】
0005937405.tif 000008
【図８】
0005937405.tif 000009